(57)【要約】【課題】画像データを表示装置に出力する画像処理装置において、色文字の色にじみを解消できる画像処理装置および電子機器を提供すること。【解決手段】画像処理装置１は、被変換画像データを、ＲＧＢ形式またはＹＵＶ形式に変換して、液晶表示装置１００に出力する。この画像処理装置１は、被変換画像データが文字データを含む場合、被変換画像データをＲＧＢ形式に変換し、被変換画像データが文字データを含まない場合、被変換画像データをＹＵＶ形式に変換するとともに、データ形式に応じてインデックスを生成するメインＭＰＵ１０と、変換後の画像データを記憶するフレームメモリ５０と、インデックスを記憶するインデックスレジスタと、フレームメモリ５０およびインデックスレジスタから画像データおよびインデックスを読み出し、このインデックスに基づいて、画像データを液晶表示装置１００に出力する液晶表示装置コントロール回路と、を備える。【選択図】図１
2007133295.tif 000002
【特許請求の範囲】
【請求項１】
被変換画像データを、赤、青、緑の３種類の色データからなるＲＧＢ形式、または、輝度データおよび２種類の色差データからなるＹＵＶ形式に変換して表示装置に出力する画像処理装置であって、
前記被変換画像データが文字データを含む場合、前記被変換画像データをＲＧＢ形式に変換し、前記被変換画像データが文字データを含まない場合、前記被変換画像データをＹＵＶ形式に変換するとともに、変換後の画像データのデータ形式に応じてインデックスを生成する画像変換部と、
前記変換後の画像データを記憶する画像データ記憶装置と、
前記インデックスを記憶するインデックス記憶装置と、
前記画像データ記憶装置および前記インデックス記憶装置から前記変換後の画像データおよび前記インデックスを読み出し、当該インデックスに基づいて前記変換後の画像データのデータ形式を判断して、前記ＲＧＢ形式または前記ＹＵＶ形式の画像データを前記表示装置に出力する画像データ出力装置と、を備えることを特徴とする画像処理装置。
【請求項２】
輝度データおよび２種類の色差データからなるＹＵＶ形式の被変換画像データを画像処理して表示装置に出力する画像処理装置であって、
前記被変換画像データが文字データを含むか否かを判別する画像データ判別部と、
前記表示装置の走査方向に隣接する２つの画素について、前記被変換画像データから２つの画像データを取り出し、当該２つの画像データに基づいて単一の画像データである圧縮画像データを生成する水平解像度圧縮部と、
前記圧縮画像データを、前記２つの画素の画像データとして前記表示装置に出力する水平解像度復元部と、を備え、
前記画像データ判別部は、前記被変換画像データが文字データを含む場合、前記被変換画像データを前記水平解像度圧縮部に出力し、前記被変換画像データが文字データを含まない場合、前記被変換画像データを前記表示装置に出力することを特徴とする画像処理装置。
【請求項３】
請求項２に記載の画像処理装置であって、
前記画像データ判別部は、前記被変換画像データが色文字の文字データを含む場合、前記被変換画像データを前記水平解像度圧縮部に出力し、前記被変換画像データが色文字の文字データを含まない場合、前記被変換画像データを前記表示装置に出力することを特徴とする画像処理装置。
【請求項４】
請求項１から３のいずれか一項に記載の画像処理装置を備えた電子機器。
【発明の詳細な説明】
【技術分野】
【０００１】
本発明は、画像処理を行う画像処理装置および電子機器に関する。
【背景技術】
【０００２】
従来より、液晶表示装置やブラウン管表示装置といった電子機器が知られている。このような電子機器では、複数の画素が配列されて構成された表示領域を有している。
【０００３】
ところで、このような電子機器では、種々のデータ形式の画像データに基づいて画像を表示する、種々の画像表示方式が採用されている。
液晶表示装置では、例えば、Ｒ（赤）、Ｇ（緑）、Ｂ（青）の３種類の色データからなる画像データに基づいて画像を表示する、ＲＧＢ方式が採用されている。一方、ブラウン管表示装置では、例えば、Ｙ（輝度）の輝度データおよびＵ（色差）、Ｖ（色差）の２種類の色差データからなる画像データに基づいて画像を表示する、ＹＵＶ方式が採用されている。
【０００４】
図１４は、ＲＧＢ方式を採用する電子機器の画素と画像データとの関係を示す模式図である。
画素１１１，１１２，１１３，１１４は、それぞれ、図１４中横方向に配列されている。
各画素１１１〜１１４には、それぞれ、Ｒ（赤）の色データＲａと、Ｇ（緑）の色データＧａと、Ｂ（青）の色データＢａと、が供給される（ａは、自然数）。
具体的には、画素１１１には、色データＲ１，Ｇ１，Ｂ１が供給される。同様に、画素１１２〜１１４には、それぞれ、色データＲ２，Ｇ２，Ｂ２、色データＲ３，Ｇ３，Ｂ３、および、色データＲ４，Ｇ４，Ｂ４が供給される。
すなわち、各画素１１１〜１１４には、それぞれ異なる色データＲａ，Ｇａ，Ｂａが供給される。
【０００５】
図１５は、ＹＵＶ方式の一種であるＹＵＶ４２２方式を採用する電子機器の画素と画像データとの関係を示す模式図である。
画素１２１，１２２，１２３，１２４は、それぞれ、図１５中横方向に配列されている。
各画素１２１〜１２４には、それぞれ、輝度データＹｍが供給されるとともに、隣接する２つの画素１２１，１２２および画素１２３，１２４には、それぞれ、色差データＵｎ，Ｖｎ、および、色差データＵｎ＋２，Ｖｎ＋２と、が供給される（ｍ，ｎは、自然数）。
具体的には、画素１２１には、輝度データＹ１と、色差データＵ１，Ｖ１と、が供給される。画素１２２には、輝度データＹ２と、上述の色差データＵ１，Ｖ１と、が供給される。同様に、画素１２３には、輝度データＹ３と、色差データＵ３，Ｖ３と、が供給され、画素１２４には、輝度データＹ４と、上述の色差データＵ３，Ｖ３と、が供給される。
【０００６】
すなわち、各画素１２１〜１２４には、それぞれ独立して輝度データＹｍが供給されるが、互いに隣接する２つの画素、つまり、画素１２１，１２２および画素１２３，１２４には、それぞれ、同一の色差データＵｎ，Ｖｎと、同一の色差データＵｎ＋２，Ｖｎ＋２と、が供給される。これは、上述のＹＵＶ４２２形式の画像データにおいて、人間の目が色の変化よりも明るさの変化に敏感である性質を利用しており、隣接する２つの画素に同一の色差データＵｎ，Ｖｎを供給することで、ほとんど画質を劣化させずにＲＧＢ形式の画像データよりもデータ量を大幅に削減している（例えば、特許文献１参照）。
【０００７】
特許文献１に記載の画像処理装置によれば、ＲＧＢ形式の画像データをＹＵＶ形式の画像データに変換し、この変換の際、色差データＵｎ，Ｖｎのデータ量を、それぞれ輝度データＹｍのデータ量よりも小さくしている。このため、画像データのデータ量を削減して、画像データを記憶させる記憶装置の記憶容量や、画像データを伝送するのに必要な時間を削減している。
【特許文献１】特開平９−３１２７７６号公報
【発明の開示】
【発明が解決しようとする課題】
【０００８】
しかしながら、上述したＹＵＶ４２２形式の画像データでは、隣接する２つの画素には、それぞれ同じ色差データＵｎ，Ｖｎが供給されるので、画像に色にじみが生じる場合がある。この色にじみは、色差が大きく変化する部分、つまり文字や文字の背景を構成する図形のエッジ部分で発生する。特に、文字に関しては、エッジ部分が多いため、色にじみの問題が顕著となっていた。
【０００９】
図１６は、文字データを含むＹＵＶ４２２形式の画像データに基づいて画像を表示した表示画面２００の模式図である。
ＹＵＶ４２２形式の画像データは、白の背景データと、赤い色文字「あ」の文字データと、を含んでおり、この画像データに基づいて、図１６に示すように、白い背景と、この白い背景の中に赤い色文字「あ」と、が表示されている。
【００１０】
図１６に示すように、表示画面２００は、複数の画素で構成されている。色文字のエッジ近傍には、背景を構成する画素２０１，２０２，２０３と、文字を構成する画素２０４，２０５，２０６と、が配置されており、画素２０１，２０２、画素２０３，２０４、および、画素２０５，２０６は、それぞれ、互いに隣接している。
画素２０１〜２０３には、背景の白に対応する輝度データが供給され、画素２０４〜２０６には、色文字の赤に対応する輝度データが供給されている。
つまり、画素２０１，２０２には、背景の白に対応する２種類のそれぞれ同一の色差データが供給され、画素２０５，２０６には、色文字の赤に対応する２種類のそれぞれ同一の色差データが供給されている。一方、白い背景と赤い色文字との境界を挟む画素２０３，２０４には、背景の白に対応する色差データと、色文字の赤に対応する色差データと、のほぼ中間の色差データが供給されている。
すなわち、画素２０３，２０４には、それぞれ独立した輝度データ、すなわち、背景の白に対応する輝度データおよび色文字の赤に対応する輝度データが供給されるとともに、２種類のそれぞれ同一の色差データ、すなわち、白でも赤でもなく、白と赤の中間の色に対応する２種類の色差データが供給されている。このため、画素２０３，２０４では、画素２０１，２０２および画素２０５，２０６と異なる色を表示して、色にじみが生じている。
【００１１】
本発明は、画像データを表示装置に出力する画像処理装置において、色文字の色にじみを解消できる画像処理装置および電子機器を提供することを目的とする。
【課題を解決するための手段】
【００１２】
本発明の画像処理装置は、被変換画像データを、赤、青、緑の３種類の色データからなるＲＧＢ形式、または、輝度データおよび２種類の色差データからなるＹＵＶ形式に変換して表示装置に出力する画像処理装置であって、前記被変換画像データが文字データを含む場合、前記被変換画像データをＲＧＢ形式に変換し、前記被変換画像データが文字データを含まない場合、前記被変換画像データをＹＵＶ形式に変換するとともに、変換後の画像データのデータ形式に応じてインデックスを生成する画像変換部と、前記変換後の画像データを記憶する画像データ記憶装置と、前記インデックスを記憶するインデックス記憶装置と、前記画像データ記憶装置および前記インデックス記憶装置から前記変換後の画像データおよび前記インデックスを読み出し、当該インデックスに基づいて前記変換後の画像データのデータ形式を判断して、前記ＲＧＢ形式または前記ＹＵＶ形式の画像データを前記表示装置に出力する画像データ出力装置と、を備えることを特徴とする。
【００１３】
この発明によれば、被変換画像データが文字データを含む場合、画像変換部で被変換画像データをＲＧＢ形式に変換する。すなわち、文字を含む画像では、被変換画像データをＲＧＢ形式に変換して、この変換した画像データを画素に供給する。このように、表示装置の走査方向に隣接する２つの画素に、それぞれ独立してＲ（赤）、Ｇ（緑）、Ｂ（青）の３種類の色データを供給するため、色文字を含む文字のエッジ部分における色にじみを解消できる。
一方、被変換画像データが文字データを含まない場合、画像変換部で被変換画像データをＹＵＶ形式に変換する。すなわち、文字を含まない画像では、被変換画像データをＹＵＶ形式に変換して、この変換した画像データを画素に供給する。このように、表示装置の走査方向に隣接する２つの画素に、それぞれ独立した輝度データと、２種類のそれぞれ同一の色差データと、を供給するため、文字の背景を構成する図形のエッジ部分で色にじみが生じるものの、画像に文字が含まれていないので、色にじみが目立たない。また、ＲＧＢ形式の画像データと比べて、ほとんど画質を劣化させずに画像データのデータ量を削減できるので、同じデータ量のＲＧＢ形式の画像データに比べて、色再現性を向上できる。
【００１４】
本発明の画像処理装置は、輝度データおよび２種類の色差データからなるＹＵＶ形式の被変換画像データを画像処理して表示装置に出力する画像処理装置であって、前記被変換画像データが文字データを含むか否かを判別する画像データ判別部と、前記表示装置の走査方向に隣接する２つの画素について、前記被変換画像データから２つの画像データを取り出し、当該２つの画像データに基づいて単一の画像データである圧縮画像データを生成する水平解像度圧縮部と、前記圧縮画像データを、前記２つの画素の画像データとして前記表示装置に出力する水平解像度復元部と、を備え、前記画像データ判別部は、前記被変換画像データが文字データを含む場合、前記被変換画像データを前記水平解像度圧縮部に出力し、前記被変換画像データが文字データを含まない場合、前記被変換画像データを前記表示装置に出力することを特徴とする。
【００１５】
この発明によれば、被変換画像データが文字データを含む場合、表示装置の走査方向に隣接する２つの画素について、被変換画像データから２つの画像データを取り出し、これら２つの画像データに基づいて単一の画像データである圧縮画像データを生成し、この圧縮画像データを、２つの画素の画像データとして表示装置に出力する。すなわち、文字を含む画像では、表示装置の走査方向に隣接する２つの画素に、同一の輝度データおよび２種類のそれぞれ同一の色差データを供給するため、色文字を含む文字のエッジ部分における色にじみを解消できる。
一方、被変換画像データが文字データを含まない場合、被変換画像データを表示装置に出力する。すなわち、文字を含まない画像では、ＹＵＶ形式の画像データ、つまり、表示装置の走査方向に隣接する２つの画素に、それぞれ独立した輝度データと、２種類のそれぞれ同一の色差データと、を供給する。このため、文字の背景を構成する図形のエッジ部分で色にじみが生じるものの、画像に文字が含まれていないので、色にじみが目立たない。また、ＲＧＢ形式の画像データと比べて、ほとんど画質を劣化させずに画像データのデータ量を削減できるので、同じデータ量のＲＧＢ形式の画像データに比べて、色再現性を向上できる。
【００１６】
本発明の画像処理装置では、前記画像データ判別部は、前記被変換画像データが色文字の文字データを含む場合、前記被変換画像データを前記水平解像度圧縮部に出力し、前記被変換画像データが色文字の文字データを含まない場合、前記被変換画像データを前記表示装置に出力することが好ましい。
【００１７】
この発明によれば、被変換画像データが色文字、つまり色成分を含む文字の文字データを含む場合、表示装置の走査方向に隣接する２つの画素について、被変換画像データから２つの画像データを取り出し、これら２つの画像データに基づいて単一の画像データである圧縮画像データを生成し、この圧縮画像データを、２つの画素の画像データとして表示装置に出力する。すなわち、色文字を含む画像では、表示装置の走査方向に隣接する２つの画素に、同一の輝度データおよび２種類のそれぞれ同一の色差データを供給するため、色文字のエッジ部分における色にじみを解消できる。
一方、被変換画像データが色文字の文字データを含まない場合、被変換画像データを表示装置に出力する。すなわち、色文字を含まない画像では、ＹＵＶ形式の画像データ、つまり、表示装置の走査方向に隣接する２つの画素に、それぞれ独立した輝度データと、２種類のそれぞれ同一の色差データと、を供給するので、エッジ部分で色にじみが生じる。しかしながら、文字のうち色文字以外のもの、すなわち色成分を含まない白黒文字では、２種類の色差データは、一値に定まるので、文字の色にじみは、発生しない。このため、被変換画像データの含む文字データが色文字でない場合には、被変換画像データから圧縮画像データを生成せず、この被変換画像データを表示装置に出力して、消費電力を削減できる。
【００１８】
本発明の電子機器は、上述の画像処理装置を備えたことを特徴とする。
この発明によれば、上述した効果と同様の効果がある。
【発明を実施するための最良の形態】
【００１９】
以下、本発明の実施形態を図面に基づいて説明する。なお、以下の実施形態および変形例の説明にあたって、同一構成要件については同一符号を付し、その説明を省略もしくは簡略化する。
＜１．第１実施形態＞
図１は、本発明の第１実施形態に係る画像処理装置１の構成を示すブロック図である。
画像処理装置１は、画像データを画像処理して、液晶表示装置１００に出力する。この画像処理装置１は、プログラムに従って動作するメインＭＰＵ１０と、プログラムやデータを記憶するワークＲＡＭ３１、ＲＯＭ３２、ＶＲＡＭ３３、およびＨＤＤ３４と、画像データを記憶するフレームメモリ５０と、メインＭＰＵ１０からの制御信号に従って液晶表示装置１００を制御するタイミングコントローラ４０と、を備えている。
【００２０】
メインＭＰＵ１０は、ワークＲＡＭ３１、ＲＯＭ３２、ＶＲＡＭ３３、およびＨＤＤ３４と、メインバス２０を介して電気的に接続されている。
ワークＲＡＭ３１は、メインＭＰＵ１０がプログラムに従って動作する際に、作業領域として用いられる。ＲＯＭ３２は、メインＭＰＵ１０が実行するプログラムを記憶する。ＶＲＡＭ３３は、画像データや、後述する被変換画像データを記憶する。ＨＤＤ３４は、容量不足によりＲＯＭ３２やＶＲＡＭ３３に記憶できないプログラム、画像データ、および被変換画像データを記憶する。
メインＭＰＵ１０は、画像データに所定の画像処理を行って被変換画像データを生成したり、この被変換画像データのデータ形式を変換するほか、この変換後の画像データのデータ形式に応じてインデックスを生成して、これらの画像データ、インデックス、および制御信号を出力する。
なお、被変換画像データのデータ形式は、１６ｂｉｔのＲＧＢ形式、２４ｂｉｔのＲＧＢ形式、１６ｂｉｔのＹＵＶ４２２形式、または２４ｂｉｔのＹＵＶ４２２形式である。
フレームメモリ５０は、複数のバンクを備え、各バンクには、液晶表示装置１００の１フレーム分ごとに上述の変換後の画像データを記憶する。
【００２１】
図２は、タイミングコントローラ４０の構成を示すブロック図である。
タイミングコントローラ４０は、液晶表示装置コントロール回路４１と、色変換回路４２と、インデックスレジスタ４３と、スイッチング回路４４と、を備えている。
【００２２】
インデックスレジスタ４３は、複数の記憶領域を備え、各記憶領域には、それぞれ上述のインデックスを記憶する。
液晶表示装置コントロール回路４１は、メインＭＰＵ１０からの制御信号に従って、フレームメモリ５０に上述の変換後の画像データを書き込むとともに、インデックスレジスタ４３にインデックスを書き込む。
また、液晶表示装置コントロール回路４１は、メインＭＰＵ１０からの制御信号に従って、フレームメモリ５０およびインデックスレジスタ４３から上述の変換後の画像データおよびインデックスを読み出す。そして、上述の読み出したインデックスに基づいて、上述の読み出した画像データのデータ形式を判断し、この画像データを色変換回路４２あるいはスイッチング回路４４に出力する。
【００２３】
色変換回路４２は、液晶表示装置コントロール回路４１からの画像データのデータ形式を変換して、スイッチング回路４４に出力する。
スイッチング回路４４は、インデックスレジスタ４３からのインデックスに基づいて、色変換回路４２で変換した画像データあるいは液晶表示装置コントロール回路４１からの画像データのいずれかを選択し、この選択した画像データを液晶表示装置１００に出力する。
【００２４】
以上の画像処理装置１は、以下の３種類の動作を行う。
【００２５】
第１の動作として、画像処理装置１は、画像データに所定の画像処理を行って、被変換画像データを生成する。
具体的には、画像処理装置１のメインＭＰＵ１０は、まず、ワークＲＡＭ３１、ＶＲＡＭ３３、またはＨＤＤ３４から画像データを読み出す。次に、メインＭＰＵ１０は、この読み出した画像データに明るさやコントラストの調整を行って、被変換画像データを生成する。そして、メインＭＰＵ１０は、この被変換画像データをワークＲＡＭ３１、ＶＲＡＭ３３、またはＨＤＤ３４に記憶させる。
【００２６】
第２の動作として、画像処理装置１は、上述の被変換画像データのデータ形式を変換し、この変換後の画像データのデータ形式に応じてインデックスを生成して、変換後の画像データをフレームメモリ５０に記憶するとともに、上述のインデックスをインデックスレジスタ４３に記憶する。
具体的には、画像処理装置１のメインＭＰＵ１０は、まず、ワークＲＡＭ３１、ＶＲＡＭ３３、またはＨＤＤ３４から、液晶表示装置１００の１フレーム分の被変換画像データを読み出す。次に、メインＭＰＵ１０は、この読み出した被変換画像データが文字データを含む場合、この液晶表示装置１００の１フレーム分の被変換画像データを１６ｂｉｔのＲＧＢ形式に変換するとともに、インデックスの値を“１”にセットする。一方、メインＭＰＵ１０は、読み出した被変換画像データが文字データを含まない場合、この液晶表示装置１００の１フレーム分の被変換画像データを１６ｂｉｔのＹＵＶ４２２形式に変換するとともに、インデックスの値を“０”にセットする。
次に、メインＭＰＵ１０は、フレームメモリ５０の複数のバンクのうち特定のものを指定するアドレス信号と、この特定のバンクに上述の変換後の画像データを記憶させるライトコマンドと、を生成する。
そして、メインＭＰＵ１０は、上述の変換後の画像データと、インデックスと、アドレス信号と、ライトコマンドと、をタイミングコントローラ４０の液晶表示装置コントロール回路４１に出力する。
【００２７】
液晶表示装置コントロール回路４１は、ライトコマンドに従って、アドレス信号が指定するフレームメモリ５０の特定のバンクに、上述の１６ｂｉｔのＲＧＢ形式またはＹＵＶ４２２形式の画像データを書き込む。また、液晶表示装置コントロール回路４１は、上述のフレームメモリ５０の特定のバンクに対応するインデックスレジスタ４３の特定の記憶領域に、上述のインデックスを書き込む。
【００２８】
図３は、インデックスレジスタ４３の記憶領域とフレームメモリ５０のバンクとの対応を示す模式図である。
インデックスレジスタ４３は、記憶領域４３１，４３２，４３３，４３４を備え、フレームメモリ５０は、バンク５０１，５０２，５０３，５０４を備えている。記憶領域４３１〜４３４は、それぞれ、バンク５０１〜５０４に対応している。
例えば、ライトコマンドに従って、液晶表示装置コントロール回路４１は、上述の特定のバンクとしてのバンク５０１に、１６ｂｉｔのＹＵＶ４２２形式の画像データを書き込む場合、上述の特定の記憶領域としての記憶領域４３１に、値が“０”のインデックスを書き込む。
【００２９】
図２に戻って、インデックスレジスタ４３は、上述の特定の記憶領域に、上述のインデックスを記憶する。また、フレームメモリ５０は、上述の特定のバンクに、上述の１６ｂｉｔのＲＧＢ形式またはＹＵＶ４２２形式の画像データを記憶する。
【００３０】
第３の動作として、画像処理装置１は、フレームメモリ５０から液晶表示装置１００に画像データを出力する。
具体的には、画像処理装置１のメインＭＰＵ１０は、まず、フレームメモリ５０の複数のバンクのうち特定のものを指定するアドレス信号と、この特定のバンクに記憶された液晶表示装置１００の１フレーム分の画像データを読み出して液晶表示装置１００に出力させるリードコマンドと、を生成する。
次に、メインＭＰＵ１０は、上述のアドレス信号と、リードコマンドと、をタイミングコントローラ４０の液晶表示装置コントロール回路４１に出力する。
【００３１】
液晶表示装置コントロール回路４１は、リードコマンドに従って、アドレス信号が指定するフレームメモリ５０の特定のバンクから、１６ｂｉｔのＲＧＢ形式またはＹＵＶ４２２形式の画像データを読み出す。また、液晶表示装置コントロール回路４１は、上述のフレームメモリ５０の特定のバンクに対応するインデックスレジスタ４３の特定の記憶領域から、インデックスを読み出す。
【００３２】
例えば、図３に示すように、液晶表示装置コントロール回路４１は、リードコマンドに従って、上述の特定のバンクとしてのバンク５０２から、１６ｂｉｔのＲＧＢ形式の画像データを読み出す場合、上述の特定の記憶領域としての記憶領域４３２から、値が“１”のインデックスを読み出す。
【００３３】
図２に戻って、液晶表示装置コントロール回路４１は、上述のインデックスレジスタ４３から読み出したインデックスの値が“０”の場合、上述の読み出した画像データを色変換回路４２に出力する。一方、液晶表示装置コントロール回路４１は、上述のインデックスレジスタ４３から読み出したインデックスの値が“１”の場合、上述の読み出した画像データをスイッチング回路４４に出力する。
【００３４】
以上により、色変換回路４２には、１６ｂｉｔのＹＵＶ４２２形式の画像データが供給される。色変換回路４２は、この１６ｂｉｔのＹＵＶ４２２形式の画像データを、１６ｂｉｔのＲＧＢ形式の画像データに変換して、この変換後の画像データをスイッチング回路４４に出力する。
【００３５】
以上により、スイッチング回路４４には、インデックスレジスタ４３からインデックスが供給されるとともに、液晶表示装置コントロール回路４１または色変換回路４２から、１６ｂｉｔのＲＧＢ形式の画像データが供給される。スイッチング回路４４は、上述のインデックスの値が“０”の場合、色変換回路４２からの１６ｂｉｔのＲＧＢ形式の画像データを、液晶表示装置１００に出力する。一方、スイッチング回路４４は、上述のインデックスの値が“１”の場合、液晶表示装置コントロール回路４１からの１６ｂｉｔのＲＧＢ形式の画像データを、液晶表示装置１００に出力する。
【００３６】
図４は、メインＭＰＵ１０が出力する画像データに基づいて画像を表示した表示画面２００Ａの模式図である。
メインＭＰＵ１０には、１６ｂｉｔのＹＵＶ４２２形式の被変換画像データが供給され、この被変換画像データは、図１６におけるＹＵＶ４２２形式の画像データと同一である。この被変換画像データは、上述の画像処理装置１のメインＭＰＵ１０により、１６ｂｉｔのＲＧＢ形式の画像データに変換された後、タイミングコントローラ４０およびフレームメモリ５０を経由して、液晶表示装置１００に出力されている。
【００３７】
図４に示すように、表示画面２００Ａは、複数の画素で構成されている。色文字のエッジ近傍には、背景を構成する画素２０１Ａ，２０２Ａ，２０３Ａと、文字を構成する画素２０４Ａ，２０５Ａ，２０６Ａと、が配置されており、画素２０１Ａ，２０２Ａ、画素２０３Ａ，２０４Ａ、画素２０５Ａ，２０６Ａは、それぞれ、互いに隣接している。
上述のように、液晶表示装置１００に出力している画像データのデータ形式は、１６ｂｉｔのＲＧＢ形式である。白い背景と赤い色文字との境界を挟む画素２０３Ａ，２０４Ａのうち白い背景を構成する画素２０３Ａには、白い背景を構成するほかの画素２０１Ａ，２０２Ａと同一の３種類の色データを供給し、白い背景と赤い色文字との境界を挟む画素２０３，２０４のうち文字を構成する画素２０４Ａには、赤い色文字を構成するほかの画素２０５Ａ，２０６Ａと同一の３種類の色データを供給している。このため、色文字を含む文字のエッジ部分において、色にじみが生じていない。
【００３８】
本実施形態によれば、以下のような効果がある。
（１）被変換画像データが文字データを含む場合、メインＭＰＵ１０で被変換画像データを１６ｂｉｔのＲＧＢ形式に変換する。すなわち、文字を含む画像では、被変換画像データを１６ｂｉｔのＲＧＢ形式に変換して、この変換した画像データを液晶表示装置１００の各画素に供給する。このように、液晶表示装置１００の走査方向に隣接する２つの画素に、それぞれ独立してＲ（赤）、Ｇ（緑）、Ｂ（青）の３種類の色データを供給するため、文字のエッジ部分において、色にじみを解消できる。
【００３９】
＜２．第２実施形態＞
図５は、本発明の第２実施形態に係る画像処理装置１Ａの構成を示すブロック図である。
本実施形態のメインＭＰＵ１０Ａは、液晶表示装置１００の１フレーム分の被変換画像データが文字データを含む場合、このフレームにおいて文字を表示するラインの被変換画像データを１６ｂｉｔのＲＧＢ形式に変換し、文字を表示しないラインの被変換画像データを１６ｂｉｔのＹＵＶ４２２形式に変換する点が、第１実施形態のメインＭＰＵ１０と異なる。
【００４０】
メインＭＰＵ１０Ａは、液晶表示装置１００の１フレーム分の被変換画像データが文字データを含む場合、このフレームにおいて文字を表示するラインの被変換画像データを１６ｂｉｔのＲＧＢ形式に変換し、文字を表示しないラインの被変換画像データを１６ｂｉｔのＹＵＶ４２２形式に変換する。また、メインＭＰＵ１０Ａは、上述の変換後の画像データのデータ形式に対応して、インデックスの値を“０”および“１”の両方にセットする。
例えば、液晶表示装置１００の１フレームを３２０×２４０画素とし、液晶表示装置１００の１フレーム分の被変換画像データは、２４ｂｉｔのＲＧＢ形式で、かつ、２００ライン目から２４０ライン目までの部分に文字データを含むものとする。この場合、メインＭＰＵ１０Ａは、このフレームにおいて文字を表示する２００ライン目から２４０ライン目までの被変換画像データを１６ｂｉｔのＲＧＢ形式に変換し、文字を表示しない１ライン目から１９９ライン目までの被変換画像データを１６ｂｉｔのＹＵＶ４２２形式に変換する。また、メインＭＰＵ１０Ａは、上述の変換後の画像データのデータ形式に対応して、インデックスの値を、１ライン目から１９９ライン目までに対応して“１”にセットし、２００ライン目から２４０ライン目までに対応して“０”にセットする。
【００４１】
一方、メインＭＰＵ１０Ａは、液晶表示装置１００の１フレーム分の被変換画像データが文字データを含まない場合、この被変換画像データを１６ｂｉｔのＹＵＶ４２２形式に変換するとともに、インデックスの値を１ライン目から２４０ライン目までに対応して“０”にセットする。
【００４２】
図６は、インデックスレジスタ４３Ａの記憶領域とフレームメモリ５０Ａのバンクとの対応を示す模式図である。
インデックスレジスタ４３Ａは、記憶領域４３１Ａ，４３２Ａ，４３３Ａ，４３４Ａを備え、フレームメモリ５０Ａは、バンク５０１Ａ，５０２Ａ，５０３Ａ，５０４Ａを備えている。記憶領域４３１Ａ〜４３４Ａは、それぞれ、バンク５０１Ａ〜５０４Ａに対応している。
なお、理解を容易にするため、各ラインの画像データは、図６中上から下に向かって、順番に配置されているものとする。
例えば、ライトコマンドに従って、液晶表示装置コントロール回路４１は、特定のバンクとしてのバンク５０１Ａに、上述の１ライン目から１９９ライン目までの部分が１６ｂｉｔのＹＵＶ４２２形式で、２００ライン目から２４０ライン目までの部分が１６ｂｉｔのＲＧＢ形式の画像データを書き込む。この場合、液晶表示装置コントロール回路４１は、特定の記憶領域としての記憶領域４３１Ａに、１ライン目から１９９ライン目までに対応して“１”で、２００ライン目から２４０ライン目までに対応して“０”の値であるインデックスを書き込む。
【００４３】
本実施形態によれば、上述の（１）の効果と同様の効果がある。
【００４４】
＜３．第３実施形態＞
図７は、本発明の第３実施形態に係る画像処理装置１Ｂの構成を示すブロック図である。図８は、タイミングコントローラ４０Ａの構成を示すブロック図である。
本実施形態の被変換画像データは、１６ｂｉｔのＹＵＶ４２２形式のみである点が、第１実施形態の被変換画像データと異なる。
また、本実施形態のメインＭＰＵ１０Ｂは、液晶表示装置１００の１フレーム分の被変換画像データが文字データを含む場合、液晶表示装置１００の走査方向に、まず、この被変換画像データを半分の画像サイズに圧縮し、次に、この圧縮した画像を元の画像サイズに復元する点が、第１実施形態のメインＭＰＵ１０と異なる。
また、本実施形態のタイミングコントローラ４０Ａは、インデックスレジスタおよびスイッチング回路を備えない点が、第１実施形態のタイミングコントローラ４０と異なる。
【００４５】
メインＭＰＵ１０Ｂは、液晶表示装置１００の１フレーム分の被変換画像データが文字データを含むか否かを判別する。そして、メインＭＰＵ１０Ｂは、液晶表示装置１００の１フレーム分の被変換画像データが文字データを含む場合、液晶表示装置１００の走査方向に隣接する２つの画素について、被変換画像データから２つの画像データを取り出し、これら２つの画像データに基づいて単一の画像データである圧縮画像データを生成し、この圧縮画像データを、２つの画素の画像データとして出力する。
【００４６】
上述のメインＭＰＵ１０Ｂの動作を、図９および図１０を参照して、以下に説明する。
図９は、液晶表示装置１００の画素とＹＵＶ４２２形式の被変換画像データとの関係を示す模式図である。図１０は、液晶表示装置１００の画素とメインＭＰＵ１０Ｂが出力するＹＵＶ４２２形式の画像データとの関係を示す模式図である。
画素１２１Ａ，１２２Ａ，１２３Ａ，１２４Ａは、それぞれ、図９および図１０中横方向に配列されている。
【００４７】
メインＭＰＵ１０Ｂが１６ｂｉｔのＹＵＶ４２２形式の被変換画像データをそのまま出力した場合、図９に示すように、メインＭＰＵ１０Ｂが出力する画像データのうち、互いに隣接する２つの画素１２１Ａ，１２２Ａの画像データは、それぞれ（Ｙ１，Ｕ１，Ｖ１）、（Ｙ２，Ｕ１，Ｖ１）である。また、メインＭＰＵ１０Ｂが出力する画像データのうち、互いに隣接する２つの画素１２３Ａ，１２４Ａの画像データは、それぞれ（Ｙ３，Ｕ３，Ｖ３）、（Ｙ４，Ｕ３，Ｖ３）である。
この被変換画像データについて、本実施形態のメインＭＰＵ１０Ｂは、まず、文字データを含むか否かを判別する。そして、被変換画像データが文字データを含む場合、メインＭＰＵ１０Ｂは、この被変換画像データから画素１２１Ａの画像データ（Ｙ１，Ｕ１，Ｖ１）と、画素１２２Ａの画像データ（Ｙ２，Ｕ１，Ｖ１）と、を取り出し、これら２つの画像データに基づいて、圧縮画像データ（Ｙ２，Ｕ２，Ｖ２）を生成する。次に、メインＭＰＵ１０Ｂは、この圧縮画像データ（Ｙ２，Ｕ２，Ｖ２）を、２つの画素１２１Ａ，１２２Ａの画像データとして出力する。
本実施形態では、以上のように、メインＭＰＵ１０Ｂが上述の被変換画像データに基づいて画像データを生成して出力するので、図１０に示すように、メインＭＰＵ１０Ｂが出力する画像データのうち、互いに隣接する２つの画素１２１Ａ，１２２Ａの画像データは、（Ｙ２，Ｕ２，Ｖ２）となる。また、画素１２１Ａ，１２２Ａと同様に、メインＭＰＵ１０Ｂが出力する画像データのうち、互いに隣接する２つの画素１２３Ａ，１２４Ａの画像データは、同一の画像データ（Ｙ４，Ｕ４，Ｖ４）となる。
【００４８】
図１１は、メインＭＰＵ１０Ｂが出力する画像データに基づいて画像を表示した表示画面２００Ｂの模式図である。
メインＭＰＵ１０Ｂには、１６ｂｉｔのＹＵＶ４２２形式の被変換画像データが供給され、この被変換画像データは、図１６におけるＹＵＶ４２２形式の画像データと同一である。この被変換画像データは、上述の画像処理装置１ＢのメインＭＰＵ１０Ｂにより、以下のように変換された後、タイミングコントローラ４０Ａおよびフレームメモリ５０Ｂを経由して、液晶表示装置１００に出力されている。
【００４９】
すなわち、図１１に示す画素２０３Ｂ，２０４Ｂには、被変換画像データである図１６に示す画素２０３，２０４の画像データに基づいて、圧縮画像データとしての画素２０５の画像データと同一のものが生成され、この生成された画像データが１６ｂｉｔのＲＧＢ形式に変換された後に供給されている。このため、色文字を含む文字のエッジ部分において、色にじみが生じていない。
【００５０】
本実施形態によれば、以下のような効果がある。
（２）メインＭＰＵ１０Ｂからタイミングコントローラ４０Ａに供給される画像データのデータ形式は、上述の１６ｂｉｔのＹＵＶ４２２形式のみなので、タイミングコントローラ４０Ａは、インデックスレジスタおよびスイッチング回路を備える必要がない。このため、このタイミングコントローラ４０Ａを備える画像処理装置１Ｂの回路規模を抑制できる。
【００５１】
＜４．第４実施形態＞
図１２は、本発明の第４実施形態に係る画像処理装置１Ｃの構成を示すブロック図である。
本実施形態のメインＭＰＵ１０Ｃは、液晶表示装置１００の１フレーム分の被変換画像データの含む文字データが色成分を含まない白黒文字の文字データである場合、この被変換画像データを、液晶表示装置１００の走査方向に半分の画像サイズに圧縮せず、そのまま出力する点が、第３実施形態のメインＭＰＵ１０Ｂと異なる。
【００５２】
本実施形態によれば、以下のような効果がある。
（３）被変換画像データが色文字の文字データを含まない場合、メインＭＰＵ１０Ｃは、被変換画像データをそのまま出力し、被変換画像データが色文字の文字データを含む場合、メインＭＰＵ１０Ｃは、被変換画像データを変換して出力する。したがって、本実施形態のメインＭＰＵ１０Ｃは、第３実施形態のメインＭＰＵ１０Ｂに対し、上述の被変換画像データの変換を行う頻度が減少するので、消費電力を削減できる。
【００５３】
＜５．変形例＞
なお、本発明は前記実施形態に限定されるものではなく、本発明の目的を達成できる範囲での変形、改良等は本発明に含まれるものである。
例えば、前記実施形態では、表示装置として液晶表示装置１００を用いたが、これに限らない。例えば、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、ヘリウムやネオン等の高圧ガスを電気光学物資として用いたプラズマディスプレイパネル、あるいは、有機ＥＬパネルなど各種の電気光学装置であってもよい。
【００５４】
＜６．応用例＞
次に、前記実施形態に係る画像処理装置１を適用した電子機器について説明する。
図１３は、画像処理装置１を適用した携帯電話機の構成を示す斜視図である。携帯電話機３０００は、複数の操作ボタン３００１、スクロールボタン３００２、表示装置３００３、および画像処理装置１を備えている。操作ボタン３００１やスクロールボタン３００２を操作することによって、画像処理装置１で色変換が行われた画像が表示装置３００３に表示される。
【００５５】
なお、画像処理装置１が適用される電子機器としては、図１３に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の画像処理部として、上述した画像処理装置１が適用可能である。
【図面の簡単な説明】
【００５６】
【図１】本発明の第１実施形態に係る画像処理装置の構成を示すブロック図である。
【図２】前記実施形態に係るタイミングコントローラの構成を示すブロック図である。
【図３】前記実施形態に係るインデックスレジスタの記憶領域とフレームメモリのバンクとの対応を示す模式図である。
【図４】前記実施形態に係るメインＭＰＵが出力する画像データに基づいて画像を表示した表示画面の模式図である。
【図５】本発明の第２実施形態に係る画像処理装置の構成を示すブロック図である。
【図６】前記実施形態に係るインデックスレジスタの記憶領域とフレームメモリのバンクとの対応を示す模式図である。
【図７】本発明の第３実施形態に係る画像処理装置の構成を示すブロック図である。
【図８】前記実施形態に係るタイミングコントローラの構成を示すブロック図である。
【図９】前記実施形態に係る液晶表示装置の画素とＹＵＶ４２２形式の被変換画像データとの関係を示す模式図である。
【図１０】前記実施形態に係る液晶表示装置の画素とメインＭＰＵ１０Ｂが出力するＹＵＶ４２２形式の画像データとの関係を示す模式図である。
【図１１】前記実施形態に係るメインＭＰＵが出力する画像データに基づいて画像を表示した表示画面の模式図である。
【図１２】本発明の第４実施形態に係る画像処理装置の構成を示すブロック図である。
【図１３】前記画像処理装置を適用した携帯電話機の構成を示す斜視図である。
【図１４】従来例に係るＲＧＢ方式を採用する電子機器の画素と画像データとの関係を示す模式図である。
【図１５】従来例に係るＹＵＶ方式の一種であるＹＵＶ４２２方式を採用する電子機器の画素と画像データとの関係を示す模式図である。
【図１６】従来例に係る文字データを含むＹＵＶ４２２形式の画像データに基づいて画像を表示した表示画面の模式図である。
【符号の説明】
【００５７】
１、１Ａ、１Ｂ、１Ｃ…画像処理装置、４０、４０Ａ…タイミングコントローラ（画像データ出力装置）、４１…液晶表示装置コントロール回路、４２…色変換回路、４３、４３Ａ…インデックスレジスタ（インデックス記憶装置）、４４…スイッチング回路、５０、５０Ａ、５０Ｂ…フレームメモリ（画像データ記憶装置）、１０、１０Ａ、１０Ｂ、１０Ｃ…メインＭＰＵ（画像変換部）、１００…液晶表示装置、３０００…携帯電話機。
【図１】
2007133295.tif 000003
【図２】
2007133295.tif 000004
【図３】
2007133295.tif 000005
【図４】
2007133295.tif 000006
【図５】
2007133295.tif 000007
【図６】
2007133295.tif 000008
【図７】
2007133295.tif 000009
【図８】
2007133295.tif 000010
【図９】
2007133295.tif 000011
【図１０】
2007133295.tif 000012
【図１１】
2007133295.tif 000013
【図１２】
2007133295.tif 000014
【図１３】
2007133295.tif 000015
【図１４】
2007133295.tif 000016
【図１５】
2007133295.tif 000017
【図１６】
2007133295.tif 000018